(57)【要約】【課題】所定の遊技演出を行う遊技機に対して該遊技機とは別体の遊技演出装置を取り付けることができる遊技演出装置の取付具、及び該取付具を装着した遊技機を提供することにある。【解決手段】第１金具８０と第２金具８１から構成される取付具ＴＧをパチンコ遊技機の外枠Ａと中枠を連結する上側連結部５５に装着可能な構成とする。第１金具８０は、その基板が、上側連結部５５を構成する外枠側上連結具５７と中枠側上連結具５８との間に挟み込まれるように構成する。一方、第２金具８１は、発光装置ＨＳを固定可能に構成する。そして、上側連結部５５に装着された第１金具８０に、発光装置ＨＳが固定された第２金具８１を装着することにより、パチンコ遊技機に対して発光装置ＨＳを取り付ける。【選択図】　　　図５
2004081627.tif 000002
【特許請求の範囲】
【請求項１】
遊技機本体を機台上に設置する設置枠と各種の遊技用構成部材を搭載する搭載枠とを連結手段で連結して前記設置枠に前記搭載枠を組み付ける遊技機に対し、所定の遊技演出を行う前記遊技機とは別体の遊技演出装置を取り付けるための取付具であって、当該取付具を前記連結手段に装着可能な構成とした遊技演出装置の取付具。
【請求項２】
前記連結手段は、支軸を有する第１連結具と前記支軸が嵌合される軸受部を有する第２連結具を備え、前記設置枠及び搭載枠のうち、いずれか一方の枠には前記第１連結具が設けられると共に、他方の枠には前記第２連結具が設けられており、
前記取付具は、前記第１連結具及び第２連結具のうち少なくともいずれか一方を挟み込むか、又は前記第１連結具と第２連結具との間に挟み込まれることで、前記連結手段に装着されるように構成された請求項１に記載の遊技演出装置の取付具。
【請求項３】
前記取付具は、前記第１連結具と第２連結具との間に挟み込まれることで、前記連結手段に装着されるようになっており、前記取付具には、前記第１連結具と第２連結具との間に挟み込まれる挟持部が設けられている請求項２に記載の遊技演出装置の取付具。
【請求項４】
前記挟持部には、前記支軸を嵌め込むための嵌込部が設けられている請求項３に記載の遊技演出装置の取付具。
【請求項５】
前記取付具は、前記挟持部を有する本体部と、該本体部に対して着脱自在に取着され、前記遊技演出装置を固定する固定部とから構成されている請求項３又は請求項４に記載の遊技演出装置の取付具。
【請求項６】
前記本体部が有する前記挟持部には、前記支軸を嵌め込むための嵌込部が設けられており、
前記本体部には、前記支軸を前記嵌込部に嵌め込んだ状態で、前記本体部が前記支軸の軸線周りに回転移動することを規制する第１規制手段と、前記本体部が前記支軸と前記嵌込部の嵌め込み方向とは逆の方向に変位移動することを規制する第２規制手段が設けられている請求項５に記載の遊技演出装置の取付具。
【請求項７】
前記遊技演出装置は、発光に基づく遊技演出を行う発光装置である請求項１〜請求項６のうちいずれか一項に記載の遊技演出装置の取付具。
【請求項８】
遊技機本体を機台上に設置する設置枠と各種の遊技用構成部材を搭載する搭載枠とを連結手段で連結して前記設置枠に前記搭載枠を組み付ける遊技機において、
前記連結手段に、請求項１〜請求項７のうちいずれか一項に記載の遊技演出装置の取付具を装着した遊技機。
【発明の詳細な説明】
【０００１】
【発明の属する技術分野】
本発明は、遊技機に対して該遊技機とは別体の遊技演出装置を取り付けるための遊技演出装置の取付具、及び該取付具を装着した遊技機に関するものである。
【０００２】
【従来の技術】
従来、遊技機の一種であるパチンコ機には、遊技の興趣を高めるために様々な遊技演出を行う装置が装備されている。例えば、このような装置として、図柄表示装置、電飾ランプ、スピーカが知られている。前記図柄表示装置は、複数種類の図柄を変動させて複数列の図柄組み合わせを導出表示させる遊技演出を行い、各列の図柄の動きなどに様々な趣向が凝らされている。また、電飾ランプとスピーカは、前記図柄組み合わせが導出表示させる際に様々な発光装飾や効果音を出力するようになっている。これらの装置における遊技演出を効果的に行うことで、遊技者に付与する遊技効果を高めている。
【０００３】
【発明が解決しようとする課題】
このようなパチンコ機にあっては、遊技機メーカが仕様設計時に決定した遊技演出に最低限必要な装置が搭載されている。そして、遊技店側は、完成品として納品されたパチンコ機を機台（所謂「パチンコ島」）上に設置し、設置後のパチンコ機では、その仕様に応じて遊技演出が行われている。ところが、遊技店では、納品されたパチンコ機で行われる遊技演出に物足りなさを感じる場合や、新台入替時など他のパチンコ機と差別化を図りたい場合などがある。しかしながら、従来のパチンコ機には、納品時に搭載されている装置に加えて新たに遊技演出用の装置（遊技演出装置）を取り付けることができなかった。従って、遊技店では、パチンコ機を納品された状態で設置するしかなかった。
【０００４】
この発明は、このような従来の技術に存在する問題点に着目してなされたものであり、その目的は、所定の遊技演出を行う遊技機に対して該遊技機とは別体の遊技演出装置を取り付けることができる遊技演出装置の取付具、及び該取付具を装着した遊技機を提供することにある。
【０００５】
【課題を解決するための手段】
上記問題点を解決するために、請求項１に記載の発明は、遊技機本体を機台上に設置する設置枠と各種の遊技用構成部材を搭載する搭載枠とを連結手段で連結して前記設置枠に前記搭載枠を組み付ける遊技機に対し、所定の遊技演出を行う前記遊技機とは別体の遊技演出装置を取り付けるための取付具であって、当該取付具を前記連結手段に装着可能な構成としたことを要旨とする。
【０００６】
請求項２に記載の発明は、請求項１に記載の遊技演出装置の取付具において、前記連結手段は、支軸を有する第１連結具と前記支軸が嵌合される軸受部を有する第２連結具を備え、前記設置枠及び搭載枠のうち、いずれか一方の枠には前記第１連結具が設けられると共に、他方の枠には前記第２連結具が設けられており、前記取付具は、前記第１連結具及び第２連結具のうち少なくともいずれか一方を挟み込むか、又は前記第１連結具と第２連結具との間に挟み込まれることで、前記連結手段に装着されるように構成されたことを要旨とする。
【０００７】
請求項３に記載の発明は、請求項２に記載の遊技演出装置の取付具において、前記取付具は、前記第１連結具と第２連結具との間に挟み込まれることで、前記連結手段に装着されるようになっており、前記取付具には、前記第１連結具と第２連結具との間に挟み込まれる挟持部が設けられていることを要旨とする。
【０００８】
請求項４に記載の発明は、請求項３に記載の遊技演出装置の取付具において、前記挟持部には、前記支軸を嵌め込むための嵌込部が設けられていることを要旨とする。
【０００９】
請求項５に記載の発明は、請求項３又は請求項４に記載の遊技演出装置の取付具において、前記取付具は、前記挟持部を有する本体部と、該本体部に対して着脱自在に取着され、前記遊技演出装置を固定する固定部とから構成されていることを要旨とする。
【００１０】
請求項６に記載の発明は、請求項５に記載の遊技演出装置の取付具において、前記本体部が有する前記挟持部には、前記支軸を嵌め込むための嵌込部が設けられており、前記本体部には、前記支軸を前記嵌込部に嵌め込んだ状態で、前記本体部が前記支軸の軸線周りに回転移動することを規制する第１規制手段と、前記本体部が前記支軸と前記嵌込部の嵌め込み方向とは逆の方向に変位移動することを規制する第２規制手段が設けられていることを要旨とする。
【００１１】
請求項７に記載の発明は、請求項１〜請求項６のうちいずれか一項に記載の遊技演出装置の取付具において、前記遊技演出装置は、発光に基づく遊技演出を行う発光装置であることを要旨とする。
【００１２】
請求項８に記載の発明は、遊技機本体を機台上に設置する設置枠と各種の遊技用構成部材を搭載する搭載枠とを連結手段で連結して前記設置枠に前記搭載枠を組み付ける遊技機において、前記連結手段に、前記請求項１〜請求項７のうちいずれか一項に記載の遊技演出装置の取付具を装着したことを要旨とする。
【００１３】
【発明の実施の形態】
以下、本発明を、遊技機の一種であるパチンコ遊技機（以下、「パチンコ機」という）、及び該パチンコ機に装着される遊技演出装置の取付具に具体化した一実施形態を図１〜図１３に基づき説明する。なお、以下の説明において、「上」「下」「左」「右」「前（表）」「後（裏）」は、パチンコ機１０を機表側（遊技者側）から見た場合の「上」「下」「左」「右」「前（表）」「後（裏）」を示すものとする。
【００１４】
本実施形態のパチンコ機１０は、その主要構成として、図１〜図４に示すように、外枠Ａ、中枠Ｂ、前枠Ｃ、機構枠Ｄ及びガラス枠Ｅの複数の枠体と、上皿ユニットＦ及び下皿ユニットＧを備えている。そして、パチンコ機１０は、外枠Ａ、中枠Ｂ、前枠Ｃ、機構枠Ｄ、ガラス枠Ｅ、上皿ユニットＦ及び下皿ユニットＧが組み付けられることにより、遊技機本体が構成されている。
【００１５】
前記外枠Ａは、機体の外郭をなすように、上枠部材Ａ１、下枠部材Ａ２、左枠部材Ａ３、及び右枠部材Ａ４を縦長方形に枠組み形成して構成されている（図４）。この外枠Ａは、機台Ｋ（所謂、パチンコ島であり、図１のみに図示する）に釘で打ち付けられて固定されるようになっている。即ち、外枠Ａは、パチンコ機１０（遊技機本体）を機台Ｋ上に設置するための設置枠とされている。
【００１６】
前記外枠Ａの開口前面側には、中枠Ｂが開閉及び着脱自在に組み付けらている。この中枠Ｂには、各種の遊技用構成部材が搭載されている（図１，図４）。具体的には、中枠Ｂに形成されたセット口１１には、遊技盤１２が保持されている。遊技盤１２の遊技領域１２ａには、特別図柄表示器１３及び普通図柄表示器１４を備えた図柄表示装置１５が設けられている。前記遊技領域１２ａには、各種入賞装置（始動入賞口１６、大入賞口１７、普通入賞口１８、普通図柄作動ゲート１９）、及び遊技領域１２ａに発射された遊技球を流下案内する釘２０や風車２１が設けられている。また、遊技領域１２ａには、始動入賞口１６に入賞した遊技球に基づく特別図柄保留球数の記憶値を報知する特別図柄保留球数ランプ２２、及び普通図柄作動ゲート１９を通過した遊技球に基づく普通図柄保留球数の記憶値を報知する普通図柄保留球数ランプ２３が設けられている。また、遊技領域１２ａには、各種遊技の状態に応じて発光による遊技演出を行う遊技盤ランプ２４が設けられている。
【００１７】
前記遊技領域１２ａに発射された遊技球が始動入賞口１６に入賞すると、特別図柄表示器１３では、複数種類の特別図柄を変動させて複数列（例えば３列）の図柄組み合わせを導出表示し、特別図柄を確定する遊技演出が行われるようになっている。このとき、同一種類の図柄による図柄組み合わせが導出表示された場合、遊技者には大当りの状態が付与され、大入賞口１７に配設された大入賞口扉１７ａが開閉動作するようになっている。また、遊技領域１２ａに発射された遊技球が普通図柄作動ゲート１９を通過すると、普通図柄表示器１４では、複数種類の普通図柄を変動させて複数列（例えば２列）の図柄組み合わせを導出表示し、普通図柄を確定する遊技演出が行われるようになっている。このとき、同一種類の図柄による図柄組み合わせが導出表示された場合、遊技者には当りの状態が付与され、始動入賞口１６に配設された開閉羽根１６ａが開閉動作するようになっている。
【００１８】
前記遊技領域１２ａには、各種入賞装置（始動入賞口１６、大入賞口１７、普通入賞口１８、普通図柄作動ゲート１９）、及び遊技領域１２ａに発射された遊技球を流下案内する釘２０や風車２１が設けられている。また、遊技領域１２ａには、始動入賞口１６に入賞した遊技球に基づく特別図柄保留球数の記憶値を報知する特別図柄保留球数ランプ２２、及び普通図柄作動ゲート１９を通過した遊技球に基づく普通図柄保留球数の記憶値を報知する普通図柄保留球数ランプ２３が設けられている。また、遊技領域１２ａには、各種遊技の状態に応じて発光による遊技演出を行う遊技盤ランプ２４が設けられている。
【００１９】
前記中枠Ｂには、各種遊技の状態に応じて音声出力による遊技演出を行うスピーカ２５が設けられている。また、中枠Ｂには、下皿ユニットＧに装着セットされる発射装置２６の打球部２７、及び該打球部２７で打球された遊技球を遊技領域１２ａに案内する発射レール２８が設けられている。また、中枠Ｂの右縁部には、施錠装置２９が設けられている。また、中枠Ｂの前側には、機外部において遊技球を貯留する上皿３０を備えた上皿ユニットＦが開閉及び着脱自在に組み付けられている。また、中枠Ｂの前面には、機外部において遊技球を貯留する下皿３１を備えた下皿ユニットＧが着脱自在に組み付けられている。なお、上皿ユニットＦ及び下皿ユニットＧは、中枠Ｂに搭載される遊技用構成部材となる。
【００２０】
前記中枠Ｂの前面側には、前枠Ｃが開閉及び着脱自在に組み付けられている。この前枠Ｃには、遊技盤１２の遊技領域１２ａを機前面側から透視可能とする透視窓３２が形成されている。また、前枠Ｃには、各種の遊技用構成部材が搭載されている（図１，図４）。具体的には、前枠Ｃの前面側には、各種遊技の状態に応じて発光による遊技演出を行う電飾ランプ３３、及び賞球の払出し時に点灯する賞球ランプ３４が設けられている。また、前枠Ｃの後面側には、遊技用構成部材としての板ガラスＧＡを支持するガラス枠Ｅが開閉及び着脱自在に組み付けられている（図３）。ガラス枠Ｅは、全体が方形をなすように、上枠フレーム３５ａ、下枠フレーム３５ｂ、左枠フレーム３５ｃ、及び右枠フレーム３５ｄを枠組み形成して構成されている。前記上枠フレーム３５ａ、下枠フレーム３５ｂ及び左枠フレーム３５ｃには、前後２列の支持溝３６が形成されている。図３には、下枠フレーム３５ｂに形成された支持溝３６をＰ−Ｐ断面図で示す。そして、前後２列の支持溝３６には、夫々、板ガラスＧＡがガラス枠Ｅの右側、即ち、右枠フレーム３５ｄ側から挿入され、ガラス枠Ｅには、２枚の板ガラスＧＡがセットされるようになっている。前記ガラス枠Ｅにセットされた板ガラスＧＡは、前枠Ｃの透視窓３２を覆うように遊技盤１２の遊技領域１２ａを透視保護している（図１参照）。
【００２１】
一方、中枠Ｂの後面側には、機構枠Ｄが着脱自在に組み付けられている。この機構枠Ｄには、各種球通路及び各種処理部などの各種の遊技用構成部材が搭載されている（図２）。具体的には、機内部において遊技球を貯留する球タンク３７、該球タンク３７から受け入れた遊技球を整流する整流樋３８、該整流樋３８から受け入れた遊技球を流下案内する区分供給経路部３９が設けられている。また、機構枠Ｄには、区分供給経路部３９を流下案内された遊技球を通過検出し、一定個数単位で払出す払出装置４０、該払出装置４０から払出された遊技球を上皿３０又は下皿３１に案内する案内通路４１が設けられている。また、機構枠Ｄには、遊技機全体を制御する主制御基板４３、及び払出装置４０を制御する払出制御基板４４が設けられている。また、機構枠Ｄには、スピーカ２５の音声出力態様を制御する音声制御基板４７が設けられている。
【００２２】
また、機構枠Ｄには、遊技盤１２の裏側部品を保護する保護カバー４８が装着されている。本実施形態では、遊技盤１２の裏側に、図柄表示装置１５（特別図柄表示器１３及び普通図柄表示器１４）の表示態様を制御する表示制御基板４５、前記各種ランプ２２，２３，２４，３３，３４の発光態様を制御するランプ制御基板４６が設けられている。また、遊技盤１２の裏側に、各種入賞装置（始動入賞口１６、大入賞口１７、普通入賞口１８、普通図柄作動ゲート１９）に入賞（又は通過）した遊技球を検出する検出部品が設けられている。さらに、遊技盤１２の裏側に、始動入賞口１６の開閉羽根１６ａ及び大入賞口１７の大入賞口扉１７ａを開閉動作させる駆動部品が設けられている。
【００２３】
前記保護カバー４８には、放熱用の放熱孔４９が形成されている。前記放熱孔４９は、左右方向に延びる長孔状をなし、保護カバー４８には複数個（本実施形態では５個）の放熱孔４９が上下方向に所定の間隔をあけて配設されている。また、保護カバー４８の裏面側には、図１２及び図１３に示すように、遊技場の電源ＡＣが供給される電源基板４２（図２）を装着するための電源基板装着部４２ａが設けられている。また、保護カバー４８の裏面側には、遊技場に設置された遊技機管理装置（管理コンピュータ）に対して各種の遊技情報を出力する盤用外部端子板５０が設けられている。
【００２４】
前記盤用外部端子板５０は、主制御基板４３が出力した各種の遊技情報を入力する入力端子５１と、該入力した各種の遊技情報を外部側（遊技機管理装置側）に出力する第１〜第７出力端子ａ１〜ａ７を備えている（図１２）。本実施形態では、盤用外部端子板５０に６種類の遊技情報が入力されるようになっている。具体的には、大当りの状態を示す大当り情報、抽選確率（大当り確率）が高確率の状態を示す確率情報が入力されるようになっている。本実施形態のパチンコ機１０は、確率変動機能を備えている。確率変動機能では、大当りとなる図柄組み合わせが予め定めた種類の特別図柄（所謂、確変図柄）によって形成されると、大当りの状態が終了した後、次回の大当りの状態が開始するまで抽選確率が低確率から高確率（例えば、３１５．５分の１から６３．１分の１）に変動するようになっている。従って、確率情報は、確率変動機能を備えたパチンコ機１０の盤用外部端子板５０から遊技機管理装置に出力される情報となっている。また、盤用外部端子板５０には、始動入賞口１６へ遊技球が入賞した個数を示す入賞情報、特別図柄が確定した回数を示す特別図柄情報、普通図柄作動ゲート１９へ遊技球が通過した個数を示す通過情報、普通図柄が確定した回数を示す普通図柄情報が入力されるようになっている。
【００２５】
そして、盤用外部端子板５０の第１出力端子ａ１からは前記大当り情報と確率情報が出力されるようになっている（図１１）。第２出力端子ａ２からは大当り情報が、第３出力端子ａ３からは確率情報が出力されるようになっている（図１１）。第４出力端子ａ４からは入賞情報が、第５出力端子ａ５からは特別図柄情報が出力されるようになっている。第６出力端子ａ６からは通過情報が、第７出力端子ａ７からは普通図柄情報が出力されるようになっている。
【００２６】
また、機構枠Ｄには、各種の遊技情報を出力する枠用外部端子板５３が設けられている（図２）。枠用外部端子板５３は、球タンク３７の球切れに関する情報、パチンコ機１０から払出された賞球数に関する情報、及びパチンコ機１０から払出された貸し球数に関する情報を外部側（遊技機管理装置側又は球補給装置側）に出力するようになっている。
【００２７】
本実施形態のパチンコ機１０では、中枠Ｂ、前枠Ｃ、機構枠Ｄ及びガラス枠Ｅによって各種の遊技用構成部材を搭載する搭載枠が構成されている。即ち、パチンコ機１０は、設置枠である外枠Ａに対して搭載枠（中枠Ｂ、前枠Ｃ、機構枠Ｄ、ガラス枠Ｅ）が組み付けられて遊技機本体が構成されている。そして、パチンコ機１０の左側縁には、外枠Ａに対して搭載枠（中枠Ｂ、前枠Ｃ、機構枠Ｄ、ガラス枠Ｅ）を組み付ける際に利用される連結手段としての連結装置ＲＫが装備されている。
【００２８】
前記連結装置ＲＫは、パチンコ機１０の左側縁最上段側に配置される上側連結部５５と、パチンコ機１０の左側縁最下段側に配置される下側連結部５６を備えている（図１）。上側連結部５５は、外枠Ａに配設された第１連結具としての外枠側上連結具５７と、中枠Ｂに配設された第２連結具としての中枠側上連結具５８とから構成されている。下側連結部５６は、外枠Ａに配設された外枠側下連結具５９と、中枠Ｂに配設された中枠側下連結具６０とから構成されている。
【００２９】
前記外枠側上連結具５７は、外枠Ａに取着される上側支持片５７ａと、該上側支持片５７ａに対して下向きに固定される支軸としての上側支軸５７ｂを備えている（図４）。また、上側支持片５７ａには、該上側支持片５７ａを略Ｌ字状に折り曲げ加工する際の凹部５７ｃが形成されている（図８）。一方、中枠側上連結具５８は、中枠Ｂに取着される上側支持片５８ａと、側面を開口して形成された軸孔５８ｂを有する軸受部としての軸受片５８ｃを備えている（図４，図８）。前記軸孔５８ｂは、外枠側上連結具５７の上側支軸５７ｂが、嵌合及び離脱し得る大きさに形成されている。また、中枠側上連結具５８は、軸孔５８ｂの開口側を開放する位置と閉鎖する位置との間で変位可能な操作レバー形態の開閉部材５８ｄを備えている。前記開閉部材５８ｄは、上側支持片５８ａに対し、回動支軸５８ｅによって回動可能に支持されている。この開閉部材５８ｄは、回動支軸５８ｅに取着された弾性部材（ねじりバネ）５８ｆの付勢力により常には軸孔５８ｂの開口側を閉鎖する位置に配置されるように構成されている。そして、開閉部材５８ｄは、弾性部材５８ｆの付勢力に抗した力で外部操作されることにより、軸孔５８ｂの開口側を開放する位置に変位（図８において反時計回りに回動）するように構成されている。また、上側支持片５８ａは、中枠Ｂに対して前枠Ｃを組み付ける際に利用される軸孔５８ｇを備えている（図５）。
【００３０】
前記外枠側下連結具５９は、外枠Ａに取着される下側支持片５９ａと、該下側支持片５９ａに対して上向きに固定される下側支軸５９ｂを備えている（図４）。一方、中枠側下連結具６０は、中枠Ｂに取着される下側支持片６０ａと、該下側支持片６０ａに形成された軸孔６０ｂを備えている（図４）。前記軸孔６０ｂは、外枠側下連結具５９の下側支軸５９ｂが、嵌合及び離脱し得る大きさに形成されている。従って、中枠Ｂは、前傾姿勢で外枠側下連結具５９と中枠側下連結具６０を連結した後、前傾姿勢から起立姿勢にして外枠側上連結具５７と中枠側上連結具５８を連結し、外枠Ａに対して組み付けられる。そのため、組み付け後の外枠Ａと中枠Ｂとの間には、隙間Ｈが形成されるようになっている（図５，図６）。
【００３１】
また、中枠Ｂの左側縁中段には、該中枠Ｂに対して前枠Ｃ及び上皿ユニットＦを組み付ける際に利用される第１受具６１が配設されている（図４）。前記第１受具６１は、中枠Ｂに取着される支持片６１ａと、該支持片６１ａに対して上向きに固定される上支軸６１ｂと、支持片６１ａに対して下向きに固定される下支軸６１ｃを備えている。また、中枠Ｂには、第１受具６１の下部に、中枠Ｂに対して上皿ユニットＦを組み付ける際に利用される第２受具６２が配設されている（図４）。前記第２受具６２は、中枠Ｂに取着される支持片６２ａと、該支持片６２ａに形成された軸孔６２ｂを備えている。前記軸孔６２ｂは、上皿ユニットＦの左側縁下方に設けられ、弾性部材（圧縮バネ）によって上下方向に変位可能な可動軸（図示しない）が、嵌合及び離脱し得る大きさに形成されている。
【００３２】
一方、前枠Ｃの左側縁の後面側には、中枠Ｂの中枠側上連結具５８に装着される前枠側上装着具６３と、中枠Ｂの第１受具６１に装着される前枠側下装着具６４が配設されている（図３）。前記前枠側上装着具６３は、前枠Ｃに取着される上側支持部材６３ａと、該上側支持部材６３ａの筒部６３ｂに嵌挿されると共に弾性部材（コイルバネ）６３ｃが取着される可動軸６３ｄを備えている。可動軸６３ｄは、弾性部材６３ｃの付勢力により常には先端部が筒部６３ｂから上方へ突出するように構成されている。そして、中枠側上連結具５８の上側支持片５８ａに形成された軸孔５８ｇは、前枠側上装着具６３の可動軸６３ｄが、嵌合及び離脱し得る大きさに形成されている。また、上側支持部材６３ａは、該上側支持部材６３ａに対して上向きに固定され、前枠Ｃに対してガラス枠Ｅを組み付ける際に利用される上支軸６３ｅを備えている。
【００３３】
前記前枠側下装着具６４は、前枠Ｃに取着される下側支持部材６４ａと、該下側支持部材６４ａに形成された軸孔６４ｂを備えている。前記軸孔６４ｂは、中枠Ｂにおける第１受具６１の上支軸６１ｂが、嵌合及び離脱し得る大きさに形成されている。また、下側支持部材６４ａは、該下側支持部材６４ａに対して上向きに固定され、前枠Ｃに対してガラス枠Ｅを組み付ける際に利用される下支軸６４ｃを備えている。
【００３４】
前記ガラス枠Ｅの左側縁には、前枠Ｃの前枠側上装着具６３に装着される上側装着片６５と、前枠Ｃの前枠側下装着具６４に装着される下側装着片６６が配設されている。前記上側装着片６５は、前枠側上装着具６３の上支軸６３ｅが、嵌合及び離脱し得る大きさに形成された軸孔６５ａを備えている。前記下側装着片６６は、前枠側下装着具６４の下支軸６４ｃが、嵌合及び離脱し得る大きさに形成された軸孔６６ａを備えている。
【００３５】
従って、ガラス枠Ｅは、前枠側上装着具６３（上支軸６３ｅ）に対して上側装着片６５を連結すると共に、前枠側下装着具６４（下支軸６４ｃ）に対して下側装着片６６を連結することにより、前枠Ｃに対して組み付けられる。前枠Ｃは、第１受具６１と前枠側下装着具６４を連結した後、前枠側上装着具６３と中枠側上連結具５８を連結することにより、中枠Ｂに対して組み付けられる。
【００３６】
そして、本実施形態のパチンコ機１０は、組み付け後のパチンコ機１０（完成品態様とされたパチンコ機１０）に対して、該パチンコ機１０とは別体とされた遊技演出装置としての発光装置ＨＳが取り付けられるように構成されている。この発光装置ＨＳをパチンコ機１０に取り付ける際には、設置枠（外枠Ａ）と搭載枠（中枠Ｂ、前枠Ｃ、機構枠Ｄ、ガラス枠Ｅ）を連結する連結装置ＲＫに装着可能に構成された取付具ＴＧが用いられるようになっている。この取付具ＴＧを用いることにより、所定の遊技演出（本実施形態では発光による遊技演出）を行うパチンコ機１０とは別体の発光装置ＨＳを、パチンコ機１０に直接取り付けることが可能となる。また、一旦取り付けられた発光装置ＨＳは、パチンコ機１０から脱着することも可能である。
【００３７】
図７には、本実施形態においてパチンコ機１０に取り付けられる発光装置ＨＳが例示されている。この発光装置ＨＳは発光体（ランプ）７０と、該発光体７０の周囲を回転するリフレクタ７２ａを有する回転灯とされている。発光装置ＨＳの本体７１内には、リフレクタ７２ａが取着された回転盤７２を回転させる駆動モータ（図示しない）が配設されている。そして、本体７１は、取付カバー７３で覆われる取付ベース７４に取着されている。取付ベース７４には、駆動モータに対して所定の制御信号（動作電圧を付与する信号）を中継出力する中継基板７５が取着されている。中継基板７５は、所定の制御信号を入力するための入力端子７６を備えている。また、取付ベース７４には、取付具ＴＧに発光装置ＨＳを位置決めする際に利用される突起（図示しない）と、該発光装置ＨＳを取付具ＴＧにねじ止め固定する際に利用されるねじ孔（図示しない）が設けられている。
【００３８】
以下、取付具ＴＧの具体的な構成を図５〜図７に基づいて詳しく説明する。
前記取付具ＴＧは、連結装置ＲＫ（上側連結部５５）に対して装着される本体部としての第１金具８０と、発光装置ＨＳが固定される固定部としての第２金具８１とから構成されている。前記第１金具８０は、平面視略Ｌ（エル）字状をなす挟持部としての基板８２に、左側板８３と右側板８４が略垂直に立設された一体成形品とされている。前記基板８２は、外枠側上連結具５７と中枠側上連結具５８を連結した状態（図５，図６）で、両連結具５７，５８との間に挿入可能な板厚とされている。即ち、基板８２は、連結状態の外枠側上連結具５７と中枠側上連結具５８の間に生じる隙間Ｈ（上下方向の隙間）よりも薄く成形されている。そして、取付具ＴＧは、第１金具８０の基板８２が、外枠側上連結具５７と中枠側上連結具５８との間に挟み込まれることで、連結装置ＲＫ（上側連結部５５）に対して装着されるようになっている。また、基板８２には、外枠側上連結具５７の上側支軸５７ｂを嵌め込むための嵌込部８５が設けられている。
【００３９】
また、基板８２には、第１金具８０を連結装置ＲＫ（上側連結部５５）に装着した状態（図５（ｂ），図６（ｂ））で、第１金具８０が上側支軸５７ｂの軸線周りに回転移動（回転動作）することを規制する第１規制手段としての回転規制片８６が設けられている。前記回転規制片８６は、基板８２に対して略垂直に、かつ、下向きに設けられている。この回転規制片８６は、第１金具８０を連結装置ＲＫに装着した状態で、外枠側上連結具５７の内面近傍に配置されるように構成されている。また、基板８２には、第１金具８０を連結装置ＲＫに装着した状態で、該第１金具８０が、上側支軸５７ｂと嵌込部８５の嵌め込み方向Ｚとは逆の方向に変位移動（変位動作）することを規制する第２規制手段としての変位規制片８７が設けられている。前記変位規制片８７は、基板８２に対して略垂直に、かつ、上向きに設けられている。この変位規制片８７は、第１金具８０を連結装置ＲＫに装着した状態で、外枠側上連結具５７の上側支持片５７ａに形成されている凹部５７ｃに係止されるように構成されている（図６，図８）。本実施形態において凹部５７ｃは、変位規制片８７を係止させる係止手段としても機能させている。なお、第１金具８０は、回転規制片８６によって上側支軸５７ｂを中心とした反時計回り方向への回転移動が規制されている一方で、時計回り方向への回転移動は、変位規制片８７と凹部５７ｃの係止によって規制されている。即ち、本実施形態の変位規制片８７は、第１金具８０が上側支軸５７ｂの軸線周りに回転移動（回転動作）することを規制する第１規制手段としても機能する。
【００４０】
また、基板８２と左側板８３、及び基板８２と右側板８４の各境界部位には、切欠部８８が形成されている。この切欠部８８には、第１金具８０を連結装置ＲＫに装着した際に、外枠側上連結具５７の上側支持片５７ａが配置されるようになっている。また、左側板８３には、第１金具８０と第２金具８１をねじ止め固定する際に利用される長孔状の止め部８９が形成されている。また、右側板８４の上部には、第１金具８０に装着された第２金具８１が、前傾方向又は後傾方向に傾き動作することを規制する傾き規制片８４ａが設けられている。前記傾き規制片８４ａは、右側板８４に対して略垂直に、かつ、その先端が左側板８３側を向くように設けられている。
【００４１】
一方、第２金具８１は、平面視略方形をなす基板９０に、左側板９１と右側板９２が略垂直に立設された一体成形品とされている。前記第２金具８１は、第１金具８０に装着された際、左側板９１と右側板９２が、第１金具８０の左側板８３と右側板８４の内面側に配置されるサイズで構成されている。即ち、第２金具８１は、第１金具８０の内部空間に収納配置されるように構成されている。そして、第２金具８１において基板９０は、発光装置ＨＳを固定する固定面とされている。この基板９０には、発光装置ＨＳの取付ベース７４に形成された突起が嵌挿される位置決め孔９３が設けられている。また、基板９０には、該基板９０に対して発光装置ＨＳをねじ止め固定する際に利用されるねじ孔９４が設けられている。また、左側板９１には、第１金具８０に第２金具８１が装着された際、第１金具８０と第２金具８１をねじ止め固定する際に利用されるねじ孔９５が設けられている。このねじ孔９５は、第１金具８０の止め部８９と対向配置されるように設けられている。
【００４２】
そして、取付具ＴＧを利用してパチンコ機１０に取り付けられた発光装置ＨＳは、図１０〜図１３に示す演出制御装置１００によって発光態様（点灯又は消灯）が制御されるようになっている。この演出制御装置１００は、パチンコ機１０とは別体とされて取り付けられた発光装置ＨＳを制御する制御装置として構成されている。前記演出制御装置１００は、パチンコ機１０の機裏側であって、保護カバー４８の裏側に着脱自在に装着可能な構成とされている。また、演出制御装置１００は、盤用外部端子板５０が遊技機管理装置に出力した遊技情報を利用して、発光装置ＨＳの制御を行うように構成されている。この構成により、パチンコ機１０で行われる各種の遊技演出と、該パチンコ機１０に後付けされた発光装置ＨＳにおける発光演出を同調させることが可能となる。即ち、発光装置ＨＳは、図柄表示装置１５、各種ランプ２２，２３，２４，３３，３４、及びスピーカ２５が行う遊技演出と関連付けられた遊技演出を行うことが可能となる。
【００４３】
以下、演出制御装置１００の具体的な構成を図１０〜図１３に基づいて詳しく説明する。
前記演出制御装置１００は、遊技場から供給される電源ＡＣを入力可能な電源端子１０１を備えている。また、演出制御装置１００は、盤用外部端子板５０の各出力端子ａ１〜ａ７から出力された各種の遊技情報を入力する入力端子１０２を備えている。前記入力端子１０２と各出力端子ａ１〜ａ７は、所定の信号線で接続されている。
【００４４】
また、演出制御装置１００は、発光装置ＨＳを制御するための制御信号を生成する演出制御部１０４を備えている。前記演出制御部１０４は、電源端子１０１及び入力端子１０２と所定の信号線で接続されている。この演出制御部１０４は、入力端子１０２から入力した各種の遊技情報のうち、所定の遊技情報に基づいて発光装置ＨＳを制御するための制御信号を生成するようになっている。本実施形態の演出制御部１０４は、盤用外部端子板５０の第１出力端子ａ１から出力された遊技情報（大当り情報と確率情報）に基づいて、発光装置ＨＳを制御する制御信号を生成するように構成されている。具体的に言えば、演出制御部１０４は、第１出力端子ａ１から遊技情報を入力すると、電源端子１０１を通じて入力した電源ＡＣを発光装置ＨＳに供給する電源とし、該電源ＡＣに基づいて発光装置ＨＳに動作電圧を付与する制御信号を生成するようになっている。そして、演出制御装置１００は、演出制御部１０４が生成した制御信号を、発光装置ＨＳに出力する演出装置側出力部１０５を備えている。前記演出装置側出力部１０５は、出力端子を備えており、該出力端子は、発光装置ＨＳにおける中継基板７５の入力端子７６に所定の信号線で接続されるようになっている。
【００４５】
従って、発光装置ＨＳは、演出制御部１０４が生成した制御信号に基づき発光態様（点灯又は消灯）が制御されるようになっている。即ち、発光装置ＨＳは、制御信号の入力により動作電圧が付与され、発光体７０の発光及び回転盤７２（リフレクタ７２ａ）が回転するようになっている。本実施形態では、電源端子１０１、演出制御部１０４及び演出装置側出力部１０５により、遊技場の電源ＡＣを入力可能であると共に、発光装置ＨＳに供給する電源を出力可能である電源供給部を構成している。前記演出制御部１０４が生成する制御信号は、図１１に示すように、第１出力端子ａ１からの遊技情報（大当り情報と確率情報）の出力状態に同調する信号とされており、第１出力端子ａ１から遊技情報が出力される間、発光装置ＨＳ側に出力されるようになっている。
【００４６】
また、演出制御装置１００は、入力端子１０２から入力した各種の遊技情報を、遊技機管理装置側に出力する外部装置側出力部１０３を備えている。前記外部装置側出力部１０３は、演出制御部１０４に接続されていると共に、盤用外部端子板５０と同様に７つの出力端子（第１〜第７出力端子ｂ１〜ｂ７）を備えている。そして、演出制御部１０４は、入力端子１０２から入力した遊技情報の中から制御信号の生成に必要な遊技情報（第１出力端子ａ１からの大当り情報と確率情報）を選択し、制御信号を生成している。その一方で、入力端子１０２から演出制御部１０４に入力された全ての遊技情報は、外部装置側出力部１０３を通じて遊技機管理装置に出力されるようになっている。
【００４７】
前記外部装置側出力部１０３の第１出力端子ｂ１からは、盤用外部端子板５０の第１出力端子ａ１と同様に大当り情報と確率情報が出力されるようになっている。また、第２出力端子ｂ２からは、盤用外部端子板５０の第２出力端子ａ２と同様に大当り情報が、第３出力端子ｂ３からは、盤用外部端子板５０の第３出力端子ａ３と同様に確率情報が出力されるようになっている。また、第４出力端子ｂ４からは、盤用外部端子板５０の第４出力端子ａ４と同様に入賞情報が、第５出力端子ｂ５からは、盤用外部端子板５０の第５出力端子ａ５と同様に特別図柄情報が出力されるようになっている。また、第６出力端子ｂ６からは、盤用外部端子板５０の第６出力端子ａ６と同様に通過情報が、第７出力端子ｂ７からは、盤用外部端子板５０の第７出力端子ａ７と同様に普通図柄情報が出力されるようになっている。
【００４８】
前記電源端子１０１、入力端子１０２、外部装置側出力部１０３、演出制御部１０４、及び演出装置側出力部１０５は、図１２及び図１３に示すように、制御基板１００ａに設けられている。前記制御基板１００ａは、電源端子１０１、入力端子１０２、外部装置側出力部１０３及び演出装置側出力部１０５が外部に露出するように所定の形状に成形された基板ケース１００ｂ内に収納され、制御基板１００ａと基板ケース１００ｂによって演出制御装置１００の外観が構成されている。
【００４９】
そして、演出制御装置１００は、保護カバー４８に対して装着する際に利用する装着片１０６を備えている。この装着片１０６は、基板ケース１００ｂの側方に成形されている。前記装着片１０６には、係止具Ｓが挿入される挿入孔１０６ａが形成されている（図１３）。前記係止具Ｓは、保護カバー４８の放熱孔４９に挿入され、該放熱孔４９の周縁に係止可能な先端部Ｓａを有している。従って、挿入孔１０６ａに挿入された係止具Ｓは、略９０度の回転操作を付与することで放熱孔４９に挿入可能な状態とされ、放熱孔４９に挿入後、再び、略９０度の回転操作を付与することで放熱孔４９の周縁に係止されるようになっている。この状態で、演出制御装置１００は、保護カバー４８に対して装着される。一方で、演出制御装置１００は、保護カバー４８に装着された状態で、係止具Ｓに略９０度の回転操作を付与することにより、保護カバー４８から脱着される（又は係止状態が解除される）ようになっている。本実施形態では、装着片１０６と係止具Ｓによって、演出制御装置１００を保護カバー４８に対して着脱自在に装着可能とする装着部を構成している。
【００５０】
次に、取付具ＴＧを用いてパチンコ機１０に発光装置ＨＳを取り付け、取り付け後の発光装置ＨＳを制御する態様を説明する。
本実施形態では、取付具ＴＧを用いて発光装置ＨＳを取り付ける際、第１金具８０を先に連結装置ＲＫ（上側連結部５５）に装着し、その第１金具８０に対して発光装置ＨＳが固定された第２金具８１を装着する手順をとる。
【００５１】
前記第１金具８０を上側連結部５５に装着する際、まず、外枠側上連結具５７と中枠側上連結具５８を非連結状態とする。この非連結状態において、第１金具８０を、左側板８３と右側板８４が上向きとなる姿勢で、かつ、嵌込部８５の開口側が嵌め込み方向Ｚ側（又は機裏側）を向く姿勢で、外枠側上連結具５７に対して位置決めする（図８及び図９）。この姿勢で第１金具８０は、回転規制片８６が外枠側上連結具５７の内面に配置され、かつ、変位規制片８７が外枠側上連結具５７の凹部５７ｃに対向配置されるように外枠側上連結具５７の上側支軸５７ｂを嵌込部８５に嵌め込み、外枠側上連結具５７に仮装着する。この仮装着後、外枠側上連結具５７と中枠側上連結具５８を連結状態とする。これにより、第１金具８０は、図５（ｂ）及び図６（ｂ）に示すように、基板８２が、外枠側上連結具５７と中枠側上連結具５８との間に挟み込まれ、連結装置ＲＫ（上側連結部５５）に装着される。そして、連結装置ＲＫ（上側連結部５５）に装着された第１金具８０は、回転規制片８６が外枠側上連結具５７の内面に配置されることにより、回転規制片８６と外枠側上連結具５７との当接関係によって回転移動が規制される。また、第１金具８０は、変位規制片８７が凹部５７ｃに係止されることにより、変位規制片８７と凹部５７ｃとの係止関係によって変位移動（及び回転移動）が規制される。
【００５２】
一方、第２金具８１には、基板９０、左側板９１及び右側板９２が立てられた状態（図８及び図９）で、発光装置ＨＳをねじ止め固定する。即ち、第２金具８１の位置決め孔９３に発光装置ＨＳの取付ベース７４に形成された突起を挿入して位置決めし、基板９０側からねじ孔９４を利用して発光装置ＨＳをねじ止め固定する。
【００５３】
次に、発光装置ＨＳが固定された第２金具８１の基板９０が、第１金具８０と対向するように第２金具８１を位置決めし（図８及び図９）、嵌め込み方向Ｚに沿って第２金具８１を第１金具８０に嵌め込む。そして、第１金具８０の止め部８９と第２金具８１のねじ孔９５を利用して、第１金具８０と第２金具８１をねじ止め固定する。この状態において、取付具ＴＧを構成する第１金具８０と第２金具８１は、外枠側上連結具５７の上側支持片５７ａを挟み込むことにもなる。そして、第１金具８０に装着された第２金具８１は、右側板９２の上方が傾き規制片８４ａの下方に配置されることにより、傾き規制片８４ａと右側板９２の当接関係によって傾き動作が規制される。この一連の取り付け作業により、発光装置ＨＳは、パチンコ機１０の機表側（機前面側）に取り付けられる。取り付け後の発光装置ＨＳは、パチンコ機１０の左側縁上段に配置される。
【００５４】
一方、保護カバー４８の裏側には、演出制御装置１００を装着する。即ち、装着片１０６の挿入孔１０６ａに挿入された係止具Ｓに回転操作を付与し、先端部Ｓａを放熱孔４９に挿入すると共に係止させることで演出制御装置１００を装着する。そして、入力端子１０２と盤用外部端子板５０の第１〜第７出力端子ａ１〜ａ７を所定の信号線で接続する。また、外部装置側出力部１０３の第１〜第７出力端子ｂ１〜ｂ７と遊技機管理装置を所定の信号線で接続する。また、電源端子１０１と遊技場の電源部（コンセント）を接続する。また、演出装置側出力部１０５と発光装置ＨＳに設けられた中継基板７５の入力端子７６を所定の信号線で接続する。前記演出装置側出力部１０５と入力端子７６を接続する信号線は、組み付け後のパチンコ機１０において、外枠Ａと機台Ｋとの間に形成される隙間を通じて機裏側から機表側に配線する。この状態において、演出制御装置１００は、盤用外部端子板５０から各種の遊技情報を入力し、遊技機管理装置に前記遊技情報を出力可能な状態となる。また、この状態において、演出制御装置１００は、前記遊技情報に基づき生成した制御信号を発光装置ＨＳに出力し、該発光装置ＨＳの発光態様を制御可能な状態となる。
【００５５】
そして、パチンコ機１０で遊技が行われ、大当りの状態又は高確率の状態になると、演出制御装置１００は、盤用外部端子板５０から大当り情報又は確率情報を入力する。前記大当り情報又は確率情報を入力した演出制御装置１００（演出制御部１０４）は、発光演出を行わせるように発光装置ＨＳを制御する制御信号を生成し、該制御信号を演出装置側出力部１０５から発光装置ＨＳ（中継基板７５）に出力する。この制御信号によって発光装置ＨＳには動作電圧が付与され、発光装置ＨＳは、発光と共に回転盤７２（リフレクタ７２ａ）が回転して遊技演出を行う。なお、盤用外部端子板５０は、大当りの状態又は高確率の状態が継続している間、大当り情報又は確率情報を出力するため、発光装置ＨＳは、大当りの状態又は高確率の状態が継続している間、遊技演出を継続して行う（図１１）。
【００５６】
なお、発光装置ＨＳ及び演出制御装置１００は、前述した一連の取り付け作業を逆から行うことで、パチンコ機１０から脱着することができる。そして、演出制御装置１００を取り外した後は、盤用外部端子板５０と遊技機管理装置を直接接続する。
【００５７】
従って、本実施形態によれば、以下に示す効果を得ることができる。
（１）所定の遊技演出（本実施形態では発光による遊技演出）を行うパチンコ機１０とは別体の発光装置ＨＳを取り付ける取付具ＴＧを連結装置ＲＫ（上側連結部５５）に装着可能な構成とした。従って、パチンコ機１０とは別体の発光装置ＨＳをパチンコ機１０に取り付けることができる。即ち、遊技店が、納品されたパチンコ機１０で行われる遊技演出に物足りなさを感じる場合や、新台入替時など他のパチンコ機と差別化を図りたい場合に、新たな遊技演出用装置の取り付けを可能とする取付具ＴＧを提供することができる。
【００５８】
（２）また、取付具ＴＧを用いてパチンコ機１０に対し発光装置ＨＳを取り付けることにより、パチンコ機１０で行われる遊技演出と発光装置ＨＳで行われる遊技演出との関連付けを遊技者に認識させることができる。
【００５９】
（３）また、取付具ＴＧの装着部位を連結装置ＲＫ（上側連結部５５）とした。従って、遊技店は、納品されたパチンコ機１０の構成に何ら手を加えることなく、パチンコ機１０に対して発光装置ＨＳを取り付けることができる。また、取付具ＴＧは、パチンコ機１０から脱着可能な構成であるため、一旦取り付けた発光装置ＨＳを必要に応じてパチンコ機１０から取り外すこともできる。
【００６０】
（４）取付具ＴＧは、外枠側上連結具５７と中枠側上連結具５８との間に挟み込まれることで、連結装置ＲＫに装着されるように構成した。従って、取付具ＴＧの装着が簡単で、かつ、連結装置ＲＫに対して強固に装着することができる。
【００６１】
（５）取付具ＴＧ（第１金具８０の基板８２）には、外枠側上連結具５７の上側支軸５７ｂを嵌め込む嵌込部８５を設けた。従って、連結装置ＲＫに対してさらに強固に装着することができる。
【００６２】
（６）取付具ＴＧを第１金具８０と第２金具８１から構成した。即ち、取付具ＴＧを分離構成とした。従って、取付具ＴＧを一体成形した場合に比して、遊技演出装置を取り付ける際の作業性を向上させることができる。例えば、パチンコ機１０に取り付けた遊技演出用装置（発光装置ＨＳ）が破損した場合や、別の遊技演出装置に交換する場合に、外枠Ａと中枠Ｂの連結状態をその都度非連結状態にすることなく作業を行うことができる。また、取付具ＴＧの製造が容易であり、コスト高を抑制することができる。
【００６３】
（７）取付具ＴＧ（第１金具８０の基板８２）には、回転規制片８６を設けた。従って、発光装置ＨＳが回転移動することを抑制できる。また、取付具ＴＧ（第１金具８０の基板８２）には、変位規制片８７を設けた。従って、発光装置ＨＳが変動移動し、抜け落ちたりすることを抑制できる。また、取付具ＴＧ（第１金具８０の右側板８４）には、傾き規制片８４ａを設けた。従って、発光装置ＨＳが傾き動作（前傾又は後傾）することを抑制できる。
【００６４】
（８）パチンコ機１０に、取付具ＴＧを用いて発光装置ＨＳを取り付けた。そのため、パチンコ機１０における光の装飾効果を高めることができる。従って、発光装置ＨＳの発光によって遊技者の視覚に刺激を付与し、遊技効果をより高めることができる。
【００６５】
（９）発光装置ＨＳを制御する演出制御装置１００は、盤用外部端子板５０が出力した遊技情報に基づき、発光装置ＨＳを制御するための制御信号を生成し、該制御信号を発光装置ＨＳに出力して制御するように構成した。従って、パチンコ機１０とは別体の発光装置ＨＳを取り付けた場合であっても、該発光装置ＨＳの制御を行うことができる。
【００６６】
（１０）また、発光装置ＨＳを制御するための制御信号を盤用外部端子板５０が出力した遊技情報に基づき生成しているため、パチンコ機１０の遊技演出と発光装置ＨＳの遊技演出を同調させて行うことができる。
【００６７】
（１１）演出制御部１０４は、制御信号を生成するにあたって、各種の遊技情報の中から前記制御信号の生成に必要な遊技情報を選択するように構成した。そのため、入力端子１０２を通じて演出制御部１０４に入力される各種の遊技情報の中から所望の遊技情報を選択し、該遊技情報に基づき、発光装置ＨＳを制御するための制御信号を生成することができる。従って、入力端子１０２と外部装置側出力部１０３、入力端子１０２と演出制御部１０４を別々の信号線で接続する必要がなく、入力端子１０２と外部装置側出力部１０３を演出制御部１０４を介して接続することができ、演出制御装置１００の構成を簡略化することができる。
【００６８】
（１２）演出制御装置１００は、大当り情報又は確率情報を入力した場合に発光装置ＨＳを制御するための制御信号を生成するように構成した。これらの情報は、遊技者にとって有利な状態を示すものであり、このような遊技情報が出力されている状態において発光装置ＨＳに遊技演出を行わせることで、遊技者に付与する遊技効果をより高めることができる。
【００６９】
（１３）演出制御装置１００は、保護カバー４８に対して着脱自在に装着可能な構成とした。前記保護カバー４８は、外枠Ａに対して中枠Ｂを開放した際、該中枠Ｂに装着された機構枠Ｄを正面視した場合に最も手前側に位置している。従って、演出制御装置１００を着脱する際の作業性を向上させることができる。また、演出制御装置１００を保護カバー４８に形成された放熱孔４９を利用して装着することで、保護カバー４８の設計変更が生じることなく、従来と同様の保護カバー４８を採用することができる。
【００７０】
（１４）演出制御装置１００は、遊技場の電源ＡＣが入力可能な構成とした。従って、パチンコ機１０に設けられた電源基板４２の設計変更が生じることなく、従来と同様の電源基板４２を採用することができる。
【００７１】
（１５）外部装置側出力部１０３には、盤用外部端子板５０の第１〜第７出力端子ａ１〜ａ７と同数の第１〜第７出力端子ｂ１〜ｂ７を設けた。そのため、演出制御装置１００を装着した場合でも盤用外部端子板５０は、演出制御装置１００を通じて遊技情報を遊技機管理装置側に出力することができる。一方で、演出制御装置１００を脱着した場合、従来と同様に、盤用外部端子板５０を遊技機管理装置側に接続することができる。従って、パチンコ機１０に設けられた盤用外部端子板５０の設計変更が生じることなく、従来と同様の盤用外部端子板５０を採用することができる。
【００７２】
なお、前記実施形態は以下のように変更してもよい。
・前記実施形態では、取付具ＴＧを用いてパチンコ機１０に発光装置ＨＳを取り付けているが、パチンコ機１０に取り付けられる遊技演出装置の種類は任意に変更しても良い。例えば、図柄表示装置１５とは別の表示装置やスピーカ２５とは別の音声出力装置、機械的な動作を行う可動装置でも良い。さらに、発光装置ＨＳは、回転灯に限らず、その形態は任意に変更しても良い。
【００７３】
・前記実施形態において、取付具ＴＧ（第１金具８０と第２金具８１）の形状、大きさは、取付具ＴＧの機能性を逸脱しない範囲で任意に変更しても良い。
・前記実施形態において、中枠Ｂと機構枠Ｄが一体枠とされていても良いし、前枠Ｃとガラス枠Ｅが一体枠とされていても良い。そして、外枠Ａ（設置枠）には、前述のような一体枠によって構成される搭載枠が組み付けられる。
【００７４】
・前記実施形態において、取付具ＴＧを上側連結部５５に代えて、下側連結部５６に装着しても良い。
・前記実施形態では、取付具ＴＧを構成する第１金具８０と第２金具８１を分離構成としているが、第１金具８０と第２金具８１を一体構成としても良い。
【００７５】
・前記実施形態において、取付具ＴＧを、外枠側上連結具５７及び中枠側上連結具５８のうち少なくともいずれか一方を挟み込むように構成しても良い。外枠側上連結具５７と中枠側上連結具５８の両方を挟み込む場合、取付具ＴＧを、例えば、万力のように構成すれば良い。
【００７６】
・前記実施形態において、外枠Ａに支軸が嵌合される軸受部を有する連結具を設ける一方で、中枠Ｂに前記支軸を有する連結具を設けても良い。
・前記実施形態において、中枠側上連結具５８の構成は任意に変更しても良い。例えば、上側支持片５８ａに対して、外枠側上連結具５７の上側支軸５７ｂを嵌合し得る軸孔のみを設けても良い。この場合、上側支持片５８ａに形成された軸孔が軸受部となる。
【００７７】
・前記実施形態は、第１種に分類されるパチンコ機１０（デジパチ）に具体化したが、第２種に分類されるパチンコ機（羽根モノ）、第３種に分類されるパチンコ機（権利モノ）、一般電役に分類されるパチンコ機に具体化しても良い。即ち、前記実施形態の取付具ＴＧを利用すれば、第１種、第２種、第３種、一般電役に分類されるパチンコ機に対し、該パチンコ機とは別体の発光装置ＨＳ（遊技演出装置）を取り付けることが可能である。
【００７８】
次に、前記実施形態及び別例から把握できる技術的思想を以下に追記する。
（イ）遊技機本体を機台上に設置する設置枠と各種の遊技用構成部材を搭載する搭載枠とを連結手段で連結して前記設置枠に前記搭載枠を組み付ける遊技機において、所定の遊技演出を行う前記遊技機とは別体の遊技演出装置を取り付けるための取付具を前記連結手段に装着すると共に、前記取付具に取り付けられた前記遊技演出装置を制御するために、遊技機に設けられて遊技場の遊技機管理装置に各種の遊技情報を出力する外部接続装置が出力した前記遊技情報を入力する遊技情報入力部と、前記遊技情報入力部が入力した前記遊技情報に基づいて前記遊技演出装置を制御するための制御信号を生成する制御信号生成部と、前記遊技情報入力部が入力した前記遊技情報を前記遊技機管理装置に出力する第１の出力部と、前記制御信号生成部が生成した前記制御信号を前記遊技演出装置に出力する第２の出力部とを備えた制御装置を機内部の所定部位に装着した遊技機。
【００７９】
前記実施形態では、演出制御装置１００が制御装置として機能し、該演出制御装置１００の入力端子１０２、演出制御部１０４、外部装置側出力部１０３及び演出装置側出力部１０５が、夫々、遊技情報入力部、制御信号生成部、第１の出力部及び第２の出力部として機能する。
【００８０】
【発明の効果】
本発明によれば、所定の遊技演出を行う遊技機に対して該遊技機とは別体の遊技演出装置を取り付けることができる。
【図面の簡単な説明】
【図１】パチンコ遊技機の機表側を示す正面図。
【図２】パチンコ遊技機の機裏側を示す背面図。
【図３】前枠の後面側を示す背面図。
【図４】外枠、中枠、前枠を機表側から見た場合の分解斜視図。
【図５】（ａ）は取付具が装着されていない状態の上側連結部を示す拡大正面図、（ｂ）は取付具が装着された状態の上側連結部を示す拡大正面図。
【図６】（ａ）は取付具が装着されていない状態の上側連結部を示す拡大側面図、（ｂ）は取付具が装着された状態の上側連結部を示す拡大側面図。
【図７】発光装置及び取付具を示す斜視図。
【図８】外枠、中枠（前枠）、及び連結具の平面図。
【図９】外枠、中枠（前枠）、及び連結具の側面図。
【図１０】演出制御装置の構成を説明するブロック図。
【図１１】遊技情報及び制御信号を説明する説明図。
【図１２】保護カバーの裏側を示す背面図。
【図１３】保護カバーに演出制御装置が装着される様子を示す斜視図。
【符号の説明】
Ａ…外枠、Ｂ…中枠（搭載枠を構成する）、Ｃ…前枠（搭載枠を構成する）、Ｄ…機構枠（搭載枠を構成する）、Ｅ…ガラス枠（搭載枠を構成する）、ＲＫ…連結装置（連結手段）、ＨＳ…発光装置（遊技演出装置）、ＴＧ…取付具、１０…パチンコ遊技機（遊技機）、５７…外枠側上連結具（第１連結具）、５７ｂ…上側支軸（支軸）、５８…中枠側上連結具（第２連結具）、５８ｃ…軸受片（軸受部）、８０…第１金具（取付具を構成する本体部）、８１…第２金具（取付具を構成する固定部）、８２…基板（挟持部）、８５…嵌込部、８６…回転規制片（第１規制手段）、８７…変位規制片（第１規制手段、第２規制手段）。
【図１】
2004081627.tif 000003
【図２】
2004081627.tif 000004
【図３】
2004081627.tif 000005
【図４】
2004081627.tif 000006
【図５】
2004081627.tif 000007
【図６】
2004081627.tif 000008
【図７】
2004081627.tif 000009
【図８】
2004081627.tif 000010
【図９】
2004081627.tif 000011
【図１０】
2004081627.tif 000012
【図１１】
2004081627.tif 000013
【図１２】
2004081627.tif 000014
【図１３】
2004081627.tif 000015